(57)【要約】【課題】電子機器の設定画面の使い勝手を向上させる。【解決手段】タッチパネル式のディスプレイ５１と、制御部１０と、を備える。そして制御部１０は、設定項目を含む第一画面（５１１）と、第一画面よりも多くの設定項目を含む第二画面（５１２）とを切り替え可能にディスプレイ５１に表示させる。また制御部１０は、設定項目に対する設定内容に基づく処理の開始指示ボタン（ｂ１）を第一画面（５１１）においては定常的に表示させ、第二画面（５１２）においては定常的には表示させない。【選択図】図２
2017129899.tif 000002
【特許請求の範囲】
【請求項１】
タッチパネル式のディスプレイと、
設定項目を含む第一画面と、前記第一画面よりも多くの設定項目を含む第二画面とを切り替え可能に前記ディスプレイに表示させる制御部であって、前記設定項目に対する設定内容に基づく処理の開始指示ボタンを前記第一画面においては定常的に表示させ、前記第二画面においては定常的には表示させない制御部と、
を備える電子機器。
【請求項２】
前記制御部は、前記第一画面においては、前記第一画面に含まれる設定項目を定常的に表示させ、前記第二画面においては、表示範囲変更操作を受け付けた場合に、前記第二画面に含まれる設定項目のうち前記表示範囲変更操作の受け付け前には表示されていなかった設定項目を表示させる、
請求項１に記載の電子機器。
【請求項３】
前記制御部は、前記第二画面においては、前記開始指示ボタンの出現操作を受け付けた場合に前記開始指示ボタンを表示させる、
請求項１または請求項２に記載の電子機器。
【請求項４】
設定項目を含む第一画面と、前記第一画面よりも多くの設定項目を含む第二画面とを切り替え可能にタッチパネル式のディスプレイに表示させる表示制御機能であって、前記設定項目に対する設定内容に基づく処理の開始指示ボタンを前記第一画面においては定常的に表示させ、前記第二画面においては定常的には表示させない表示制御機能を電子機器に実現させる制御プログラム。
【発明の詳細な説明】
【技術分野】
【０００１】
本発明は、電子機器、電子機器の制御プログラムに関する。
【背景技術】
【０００２】
従来、タッチパネル式のディスプレイと、当該ディスプレイとは別にスタートボタンとを備えた印刷装置が知られている（例えば特許文献１）。また、タッチパネル式のディスプレイにスタートボタンを表示することも知られている。
【先行技術文献】
【特許文献】
【０００３】
【特許文献１】特開２０１２−１２９８３６号公報
【発明の概要】
【発明が解決しようとする課題】
【０００４】
しかし、ディスプレイとは別にスタートボタンを配置する構成の場合、ディスプレイ上で設定操作をした後、ディスプレイからスタートボタンまでユーザーは指を移動させる必要があり、設定後速やかにスタートボタンを押下しにくく不便であった。一方ディスプレイにスタートボタンを表示する構成の場合、ディスプレイのサイズが同一であるとすると、スタートボタンをディスプレイ外に配置する構成と比較して、スタートボタン以外の情報を表示する領域が狭くなる。ディスプレイに表示させるボタン（スタートボタンや、各設定項目の設定ボタン）は人が指でタッチ操作をしやすい程度の面積よりも小さくすることはできないため、ディスプレイにスタートボタンを表示する構成の場合、画面に一度に表示できる設定項目数（設定ボタンの個数）がディスプレイ外にスタートボタンを配置する構成と比較すると少なくなる。そのため、ユーザーは設定を行う際、目的の設定項目を表示させるために頻繁にスクロールさせたりしなければならず、使い勝手が悪い。
本発明は、電子機器の設定画面の使い勝手を向上させることを目的とする。
【課題を解決するための手段】
【０００５】
上記目的を達成するための電子機器は、タッチパネル式のディスプレイと、制御部と、を備える。そして制御部は、設定項目を含む第一画面と、第一画面よりも多くの設定項目を含む第二画面とを切り替え可能にディスプレイに表示させる。また制御部は、設定項目に対する設定内容に基づく処理の開始指示ボタンを第一画面においては定常的に表示させ、第二画面においては定常的には表示させない。
【０００６】
本発明の場合、ユーザーは第一画面に表示されている設定項目の設定内容を変更した後、同一画面内に表示されている開始指示ボタンをタップすることができる。したがって、ディスプレイの外側に別に開始指示ボタンが設けられている構成と比較すると、設定後速やかに開始指示ボタンをタップしやすいため、便利である。また、第一画面は第二画面よりも表示される設定項目数が少ないため、ユーザーは容易に自身が設定したい設定項目を探し出すことができる。また、ユーザーは、第一画面に表示されていない設定項目に関しては第二画面で設定操作を行うことができる。第二画面において開始指示ボタンは定常的には表示されないため、第二画面において設定項目を配置する領域を第一画面の場合と比較して広く割り当てることができる。また、第二画面において開始指示ボタンは定常的には表示されないため、第二画面での設定操作後、例えばユーザーは第一画面に切り替えて第一画面に表示されている開始指示ボタンをタップして処理を開始させることができる。
【０００７】
なお、「前記設定項目に対する設定内容に基づく処理」とは、第一画面に含まれる設定項目に対する設定内容と、第二画面に含まれる設定項目に対する設定内容と、に基づく処理を意味する。
【図面の簡単な説明】
【０００８】
【図１】プリンターの構成を示すブロック図。
【図２】（２Ａ）〜（２Ｃ）は設定画面の構成を示す図。
【図３】設定画面の構成を示す図。
【発明を実施するための形態】
【０００９】
以下、本発明の実施の形態を、添付図面を参照しながら説明する。尚、各図において対応する構成要素には同一の符号が付され、重複する説明は省略される。
１．第一実施形態：
１−１．プリンターの構成：
図１は、本発明の実施形態にかかる電子機器としてのプリンター１の構成を示すブロック図である。プリンター１は、制御部１０と印刷部２０と画像読取部３０と通信部４０とユーザーＩ／Ｆ部５０とを備え、画像読取機能を有するプリンターとして構成される。
【００１０】
印刷部２０は、インクジェット方式、電子写真方式など周知の印刷方式で写真紙・普通紙・ＯＨＰシートなどの印刷媒体に印刷を実行するためのアクチュエーターやセンサーや駆動回路や機械部品を備えている。画像読取部３０は、原稿台に載置された原稿に発光し原稿からの反射光をＲＧＢの各色に分解してスキャン画像データとする周知のカラーイメージセンサーや、原稿を搬送するためのアクチュエーターや駆動回路や機械部品を備えている。
【００１１】
通信部４０は、外部機器と有線または無線で通信するための各種の通信インターフェースを含む。また、通信部４０は、プリンター１に装着された各種のリムーバブルメモリーと通信するためのインターフェースを含む。ユーザーＩ／Ｆ部５０は、タッチパネルディスプレイ５１（以降、単にディスプレイ５１と呼ぶ）や図示しないキー入力部を含む。ディスプレイ５１は、制御部１０の制御に基づいて様々な情報を表示する表示パネルと、当該表示パネルに重ねられたタッチ検出パネルとを備え、静電容量方式、抵抗膜式、光学式等の周知の方法によって人の指等のポインティングオブジェクトによるタッチ操作を検出する。そしてディスプレイ５１は、当該タッチ操作を示す情報（例えばタッチ開始位置やタッチ終了位置の座標等）を制御部１０に出力する。
【００１２】
制御部１０は、図示しないＣＰＵやＲＯＭやＲＡＭや不揮発性メモリーを備え、ＣＰＵはＲＯＭや不揮発性メモリーに記録された制御プログラム１１を、ＲＡＭや不揮発性メモリーを用いて実行することができる。当該制御プログラム１１は、ディスプレイ５１に様々な情報を表示し、ディスプレイ５１から取得したタッチ操作を示す情報に基づいてディスプレイ５１に対する操作（例えば、タップ、スワイプ、ピンチイン、ピンチアウト等を含む）を検知すると当該操作に対応する処理をプリンター１の各部を制御して実行させる機能をプリンター１に実現させるプログラムである。特に、設定画面において後述する基本設定画面と詳細設定画面とを切り替え可能に表示する表示制御機能が制御プログラム１１には含まれている。設定画面には複数の設定項目が提示され、ユーザーは各設定項目に対し設定内容を変更することができる。各設定項目において設定されている設定内容を示す情報は、ＲＡＭや不揮発性メモリーに記録されており、ユーザーの変更操作に応じて当該情報が書き換えられる。
【００１３】
１−２：設定画面の構成：
図２Ａおよび図２Ｂは、プリンター１のコピー機能に関する設定画面を示す図である。当該設定画面においては、第一画面としての基本設定画面５１１（図２Ａを参照）と第二画面としての詳細設定画面５１２（図２Ｂを参照）とが切り替え可能に表示される。制御部１０は、基本設定タブ５１１ａがタップされたことを検知すると基本設定画面５１１を表示させ、詳細設定タブ５１２ａがタップされたことを検知すると詳細設定画面５１２を表示させる。
【００１４】
コピー機能に関する複数の設定項目の設定を行うための各設定ボタンは、基本設定画面５１１または詳細設定画面５１２のいずれか一方に表示される。基本設定画面５１１には、コピー機能において設定変更される頻度が高い設定項目の設定ボタンが表示される。詳細設定画面５１２には、基本設定画面５１１に表示されない残りの設定項目（基本設定画面５１１の設定項目と比較して設定変更の頻度が高くない設定項目）の設定ボタンが表示される。もちろん、基本設定画面に表示される設定項目はユーザーがカスタマイズすることができてもよい。
【００１５】
基本設定画面５１１には、両面設定ボタン５１１ｂと濃度設定ボタン５１１ｃとカラー設定ボタン５１１ｄと開始指示ボタンとしてのスタートボタンｂ１とが含まれる。両面設定ボタン５１１ｂは、両面印刷に関する設定項目の設定を行うためのボタンであり、現状設定されている設定内容を提示する機能と、設定変更の要求を受け付ける機能とを備えている。具体的には、両面設定ボタン５１１ｂには、設定項目名としての「両面設定」の文字と、現状設定されている設定内容としての「片面→両面」の文字が表示されている。両面設定ボタン５１１ｂがタップされたことを検知すると制御部１０は、両面印刷に関する設定項目の設定内容の選択肢（「片面→両面」、「片面→片面」等）を示すボタンを提示する。選択肢を示すボタンのうちのいずれかがタップされたことを検知すると制御部１０は、当該選択肢を両面印刷に関する設定項目の設定内容としてＲＡＭに記録する。そして制御部１０は、選択肢を示すボタンの提示を終了し、現状設定されている設定内容を示す文字を新たに設定された設定内容を示す文字に更新して両面設定ボタン５１１ｂを表示させる。
【００１６】
濃度設定ボタン５１１ｃは、濃度に関する設定項目の設定を行うためのボタンであり、現状設定されている設定内容を提示する機能と、設定変更の要求を受け付ける機能とを備えている。カラー設定ボタン５１１ｄは、カラー印刷に関する設定項目の設定を行うためのボタンであり、現状設定されている設定内容を提示する機能と、設定変更の要求を受け付ける機能とを備えている。
【００１７】
詳細設定画面５１２には、図２Ｃに示すように、倍率設定ボタン５１２ｂ、用紙サイズ設定ボタン５１２ｃ、用紙種類設定ボタン５１２ｄ、給紙方法設定ボタン５１２ｅ、割り付け設定ボタン５１２ｆ、印刷品質設定ボタン５１２ｇ、原稿種類設定ボタン５１２ｈ、フチなし印刷設定ボタン５１２ｉ、ミラー反転印刷設定ボタン５１２ｊ、詳細画面調整部５１２ｋが表示される。これらの設定ボタンは、詳細設定画面５１２において一度に全てが表示される訳ではなく（全ての設定ボタンが定常的に表示される訳ではなく）、各ボタンが並ぶ方向におけるスワイプ操作（表示範囲変更操作に相当する）に応じて制御部１０が表示対象領域を移動させることによってスクロールして表示される。図２Ｂに示す詳細設定画面５１２は、図２Ｃに示す表示対象領域ａ１に含まれる設定ボタンが表示されていることを示している。詳細設定画面５１２に割り当てられている設定項目の設定ボタン５１２ｂ〜５１２ｊはそれぞれ、現状設定されている設定内容を提示する機能と、設定変更の要求を受け付ける機能とを備えている。詳細画面調整ボタン５１２ｋは、例えば基本設定画面５１１や詳細設定画面５１２に表示させる設定項目を入れ替えたり、列挙の順序を入れ替えたりする操作を受け付ける調整画面を表示するためのボタンである。
【００１８】
なお、用紙種類設定ボタン５１２ｄは用紙種類に関する設定項目の設定を行うためのボタンである。用紙種類とは、印刷媒体（記録媒体）の種類を意味し、例えば「普通紙」や「写真紙」等が想定される。原稿種類設定ボタン５１２ｈは、原稿種類に関する設定項目の設定を行うためのボタンである。原稿種類とは、コピー元の原稿に含まれるコンテンツの種類を意味し、例えば、「写真」や「文字」等が想定される。
【００１９】
スタートボタンｂ１は、上述した各設定項目の設定内容に基づくコピー処理の開始指示を入力するためのボタンである。スタートボタンｂ１がタップされたことを検知すると制御部１０は、画像読取部３０と印刷部２０と通信部４０とを制御してコピー処理を実行する。なおスタートボタンｂ１は、基本設定画面５１１においては定常的に表示され、本実施形態においては詳細設定画面５１２には表示されない。ユーザーは基本設定画面５１１に表示されている設定項目の設定内容を変更した後、同じく基本設定画面５１１内に表示されているスタートボタンｂ１をタップすることができる。したがって、ディスプレイの外側に別にスタートボタンが設けられている従来の構成と比較すると、設定後速やかにスタートボタンをタップしやすいため、便利である。
【００２０】
基本設定画面５１１に表示される設定ボタン５１１ｂ〜５１１ｄは、スクロールさせずとも基本設定画面５１１内に定常的に表示されている。また、詳細設定画面５１２と比較して表示される設定ボタン数も少ない。そのため、基本設定画面５１１においてユーザーは目的の設定ボタンを探し出すためにスワイプ等の表示範囲変更操作を必要とせず、目的の設定ボタンを速やかに発見し当該設定ボタンに対する操作を行うことができる。
【００２１】
また、基本設定画面５１１に表示される設定ボタン５１１ｂ〜５１１ｄに対応する設定項目（両面印刷に関する設定項目、濃度に関する設定項目、カラー印刷に関する設定項目）は、設定変更の頻度が高い設定項目である。そのため、ユーザーは設定変更を行う機会のうち多くの場合は、基本設定画面５１１において設定変更からスタートボタンｂ１のタップまでの操作を完結することができ、便利である。基本設定画面５１１に表示される設定項目と比較して変更頻度の高くない設定項目の設定変更を行いたい場合は、ユーザーは詳細設定画面５１２に表示を切り替えることによって設定変更を行うことができる。
【００２２】
また、詳細設定画面５１２においてスタートボタンｂ１は表示されないため、詳細設定画面５１２において設定ボタンを配置する領域の幅を基本設定画面５１１と比較して広く割り当てることができる。詳細設定画面５１２に表示される設定項目には設定項目名が長いものもあるため、設定ボタンの幅を広く確保できることにより、設定項目名を示す文字や設定内容を示す文字を読みやすく表示させることができる。なお、詳細設定画面５１２においてスタートボタンｂ１は表示されないため、詳細設定画面５１２での設定操作後、ユーザーは基本設定画面５１１に表示を切り替えてスタートボタンｂ１をタップすることでコピーを開始させることができる。
【００２３】
２．他の実施形態：
尚、本発明の技術的範囲は、上述した実施例に限定されるものではなく、本発明の要旨を逸脱しない範囲内において種々変更を加え得ることは勿論である。例えば、上記実施形態においては、詳細設定画面５１２にはスタートボタンｂ１は表示されなかったが、例えば図３に示すように、スワイプ操作（出現操作に相当する）を行って詳細設定画面５１２を下端までスクロールさせることによって表示対象領域を移動させると詳細設定画面５１２においても設定ボタンの下側にスタートボタンｂ１が表示されてもよい。この構成の場合、ユーザーは詳細設定画面５１２においてもスタートボタンｂ１を表示させることができ、詳細設定画面５１２においてもスタートボタンｂ１をタップしてコピーを開始させることができる。
【００２４】
なお表示範囲変更操作は、表示範囲の変更を指示するための操作であればよく、例えば、画面外にあるスタートボタンを画面内に引き込むような、画面の縁部から画面の中央部に向かう方向のスワイプや、ピンチイン、ピンチアウト等を想定してよい。出現操作は、表示範囲変更操作と同じ操作であってもよいし、新たな別の操作であってもよい。
【００２５】
なお、本発明は、スキャナーやプリンター以外にも様々な電子機器に適用することができる。また、スキャナーやプリンターを含む様々な電子機器を制御するＰＣ（Personal Computer）やスマートフォンやタブレット端末の制御プログラムにも本発明を適用することができる。また請求項に記載された各部の機能は、構成自体で機能が特定されるハードウェア資源、プログラムにより機能が特定されるハードウェア資源、又はそれらの組み合わせにより実現される。また、これら各部の機能は、各々が物理的に互いに独立したハードウェア資源で実現されるものに限定されない。
【符号の説明】
【００２６】
１…プリンター、１０…制御部、１１…制御プログラム、２０…印刷部、３０…画像読取部、４０…通信部、５０…ユーザーＩ／Ｆ部、５１…タッチパネルディスプレイ（ディスプレイ）、５１１…基本設定画面、５１１ａ…基本設定タブ、５１１ｂ…両面設定ボタン、５１１ｃ…濃度設定ボタン、５１１ｄ…カラー設定ボタン、５１２…詳細設定画面、５１２ａ…詳細設定タブ、５１２ｂ…倍率設定ボタン、５１２ｃ…用紙サイズ設定ボタン、５１２ｄ…用紙種類設定ボタン、５１２ｅ…給紙方法設定ボタン、５１２ｆ…設定ボタン、５１２ｇ…印刷品質設定ボタン、５１２ｈ…原稿種類設定ボタン、５１２ｉ…印刷設定ボタン、５１２ｊ…ミラー反転印刷設定ボタン、５１２ｋ…詳細画面調整部、５１２ｋ…詳細画面調整ボタン、ａ１…表示対象領域、ｂ１…スタートボタン
【図１】
2017129899.tif 000003
【図２】
2017129899.tif 000004
【図３】
2017129899.tif 000005